(57)【要約】【課題】  データを誰もが簡単にリスクなく「保存、検索・閲覧」するために、データをリスクなく保存できる外部サーバーと、データを簡単に保存、検索・閲覧できる専用機器を活用する一連の仕組みを提供する。【解決手段】  セキュリティやデータのバックアップ等の対応がされた外部サーバーと、その外部サーバーにインターネット等を経由してアクセスできるサイトを用意する。次に、電源を入れるだけで、このサイトおよび外部サーバーに直接アクセスする専用機器を作成する。この専用機器は、電源を入れＳＤ等の電子媒体をつなぐだけで、データは自動的に外部サーバーに保存され、また、電源を入れるだけで保存したデータを検索・閲覧できる。そのことで、誰にとってもデータを保存、検索・閲覧する手間が大幅に少なくなり、また外部サーバーに保存することでデータが消滅したり再生不能となるリスクがなくなる。【特許請求の範囲】
【請求項１】
電源を立ち上げて、データを接続するだけで、自動的にインターネット等を経由し外部サーバーにアクセスして、外部サーバーにデータを保存できる専用機器。
【請求項２】
外部サーバーに保存したデータを、電源を立ち上げるだけで、自動的にインターネット等を経由し外部サーバーにアクセスして、データを検索したりアルバムのように閲覧することのできる専用機器。
【請求項３】
これら、外部サーバーやサイト、および外部サーバーに電源立ち上げ時点で自動的にアクセスしデータを保存、検索・閲覧するための専用機器といった、データを、誰でも簡単にリスクなく、保存、検索・閲覧できるという一連の仕組み。
【発明の詳細な説明】
【技術分野】
【０００１】  この発明は、デジタルカメラ等で撮影した写真・動画等のデータを、誰もが簡単にスピーディーに「保存、閲覧・検索」でき、また、そのデータが消滅したり再生不能となる等で「検索・閲覧」できなくなるようなリスクなく「保存」しつづけられる、専用機器と外部サーバーを活用した仕組みに関するものである。
【発明の概要】
【発明が解決しようとする課題】
【０００２】  デジタルカメラ等で撮影した写真や動画のデータ（以下データ）は、その性質上、その人の一生にわたり安全に保存されつづけ、いつでも簡単に検索、閲覧できなければならない。たとえば、今日生まれた子供を撮影したデータは、その子が８０歳になった時にも今日と変わらず見ることができなければならない。しかし、人の一生分のデータ（思い出）を残すことの、「手段」であるはずの、データを撮影することに関しては高性能化・高画質化等、日々進化している一方で、本来の「目的」である撮影したデータ（思い出）を見るということに関して、つまり、そのためにデータを「保存」する、そして「保存」したデータを「検察・閲覧」するという点では、まだまだ大きな課題がある。【０００３】  課題には大きく２つ、手間（その作業が面倒くさかったり、むつかしかったりして簡単にできない）がかかるという課題と、リスク（データが消滅や再生不能となる等）があるという課題がある。それぞれの課題を、「データを保存する」場合、「保存したデータを検索・閲覧する」場合にわけて以下に説明する。【０００４】  まずは、データを保存する場合の課題である。【０００５】  従来、データは、多くは家庭内において、多岐にわたる電子媒体（ＳＤカードやＰＣやＤＶＤレコーダーやブルーレイ等のハードディスク、もしくは、ＣＤ、ＤＶＤ、ブルーレイ等）に保存されていると考えられる。そして、これからも、電子媒体は、ＣＤがＤＶＤやブルーレイと進化していったように、時代とともにさらに進化していくと想定される。つまり、家庭でデータを保存している電子媒体も時代とともに変化することが想定されるわけだが、この場合、過去のデータを、新しい電子媒体に移し替える手間（時間含む）が発生する（たとえば、過去ＣＤに保存していたデータをすべてブルーレイに移し替える等）。移し替える作業をイメージしてもらえればわかると思うが、これはデータ量がおおければ多いほど、大変な手間になる。このようにデータを長期にわたり保存していくにはかなりの手間がかかると想定される。また、この手間がかかることから、過去に保存されたデータを新しい電子媒体に移し替えないケースも充分考えられる。この場合、データは、保存された時期により異なる電子媒体で保存されていくことになる。このことの課題は、別途「検索・閲覧」に関する課題として詳しく説明したい。【０００６】  以上に加え、家庭内で保存されているデータは、長期間保存することにより、どの電子媒体で保存されていたとしても、なんらかの事故で衝撃等が加わったり、地震水害落雷などの自然災害、または火災等で、消滅するリスクが発生する。前述のデータの移しかえによっても、データが消滅するリスクが発生する。【０００７】  また、データの保存先は、家庭内で保存する以外に、インターネット等を経由し外部サーバーにアクセスしてデータを保存している場合も考えられる。外部サーバー等に保存すると、前述の電子媒体の変更や、データ消滅のリスクは一定程度払しょくできると思われる。しかし、この仕組みは一般的には普及していない。その一番の理由としては、この仕組みを活用する手間、たとえば、ＰＣ等をたちあげ、専用のサイトに入り、会員として登録し、パスワード等を入力し、保存するといったようなプロセスが必要だったり、そのための専門知識（使用上の注意やコスト等々の知識も含む）が必要だからだと考える。つまり、これらの手間が、特にインターネットや機械周りの知識に疎い人が、外部サーバーにデータを保存することの制約になっている。【０００８】  次に、これらの保存されたデータの「検索・閲覧」に関する課題である。【０００９】  まず、家庭内でデータを保存している場合、どのような電子媒体で保存されていても、検索・閲覧するには一定程度の手間（たとえば、ブルーレイで保存されているのであれば、本体の電源を入れ、ブルーレイを挿入し、テレビに接続し検索・閲覧する）がかかるが、前述の電子媒体が多岐にわたって保存されている場合は、保存したデータを検索して閲覧するには、電子媒体ごとにデータの検索・閲覧する方法を変える（たとえば、ＤＶＤならＤＶＤ再生機で、ＰＣのハードディスクならＰＣで）というように一層の手間がかかる。【００１０】  また、データを長期間保存するなかでは、保存している電子媒体を検索・閲覧する再生機器が壊れてしまう場合や、再生機器を生産していたメーカーが生産中止にする場合などが考えられ、この場合、データの検索・閲覧が物理的に無理になってしまうというリスクがある。（たとえば、音楽等を保存していたカセットテープのケースをあげればわかりやすい。以前、ほとんどの家庭であったカセットテープの再生機器も、現在は、持っていない家庭も多く、この家庭の場合、カセットテープに保存されていた音楽を再生できないことになる。むかし、子供の歌声などをカセットテープに保存していたものの、再生機がなくなってしまって聞くことができなくなった家庭も実際に多くあると聞く。）【００１１】  次に、外部サーバーでデータを保存している場合であるが、これも保存の時と同じように、検索・閲覧に際しても、ＰＣ等をたちあげ、専門のサイトに入り、パスワードを入力し閲覧するというプロセスが必要で手間がかかることが課題である。これにより、特にインターネットや機械周りの知識に疎い人にとっては、検索・閲覧することの制約になる。【００１２】  なお、少し補足になるが、これらは、デジタルカメラが１９９０年代中ごろからすこしづつ一般家庭に普及してきたという浅い歴史ということもあって、人の一生のような長期間、データを保存、検索・閲覧する仕組みに課題がある現状であっても、現時点では大きくは課題として顕在化してこなかったのだと思われる。しかし、今後、このようなデータを長期間継続して保存しつづけることを考えると、その環境に耐えうる、データを誰でも簡単にリスクなく保存しつづけ、そしていつでも簡単にリスクなく検索、閲覧する仕組みが、必ず必要となる。【００１３】  以上から、従来の仕組みでは、たとえば、いまから１０年後の未来、どこに何のデータが保存されているかわからない。また、保存されたデータを再生する電子媒体も変わり、昔の大切な思い出であるデータを検索・閲覧することができないというケースが想定される。特に、面倒くさがりの人、インターネットや機械周りの知識に疎い人などは、インターネットや最新の機器を活用したデータの保存、検索・閲覧の仕組みを有効利用することができず、結果、大切な思い出であるデータを保存、検索・閲覧ができなくなると想定される。本来、写真を撮る目的である、昔の写真を気軽に見たいというユーザーのニーズにこたえられていない状況だと言える。本発明は以上のような課題をなくすためになされたものである。
【課題を解決するための手段】
【００１４】  課題を解決するためには、端的にいえば、デジタルカメラ等で撮影した写真や動画のデータを保存する、また、保存したデータの検索・閲覧が、誰でも簡単に一生涯安心してリスクなくできる仕組みを構築するということになる。【００１５】  そのために、まずは、これらのデータを保存する外部サーバー（以下外部サーバー）を準備する。この外部サーバーはデータの保存容量については制限を設けないし、セキュリティや万一の災害に備えたデータのバックアップ等の対応を行う。このことにより、外部サーバーに保存されたデータが消滅するリスクや媒体変更によりデータが再生できないリスクから守ることができる。【００１６】  次に、この外部サーバーに、インターネット等を経由してデータを保存できる、また、その保存されたデータを検索・閲覧できる専用サイト（以下サイト）を構築する。【００１７】  次に、そのサイトにアクセスし、誰でも簡単にスピーディーにデータを保存するため仕組みを構築する。具体的には、データを保存するための専用機器を作成する。この専用機器は、電源をつけると、自動的に無線ＬＡＮ等に接続され、自動的にサイトにアクセスされる。そのアクセスされたサイトは専用機器に設置されている画面にて確認できる。【００１８】  なお、外部サーバーには、専用機器と対になった、データを保存するための個別フォルダ（以下フォルダ）が初期設定されており、専用機器の電源をつけると、自動的にパスワード等を入力することなく、このフォルダにつながる仕組みになっている。【００１９】  そして、専用機器にデジタルカメラ本体を接続もしくはデータが保存されているＳＤカード等を挿入すると、自動的にデータは外部サーバーに保存される。なお、実際の保存にあたっては、保存するかどうかを確認できる機能の構築も必要である。【００２０】  つまり、データを外部サーバーに保存するためには、専用機器を購入し、電源をつけて、デジタルカメラで撮影したデータを接続するだけでできることになる。このプロセスがシンプルであることが大切なポイントとなる。【００２１】  次に、その保存されたデータを検索・閲覧する手段である。一度データを保存した専用機器は、その後、電源を立ち上げると、特に作業することなく、自動的にインターネット等を経由してサイトのフォルダにアクセスし、自動的に、保存したデータを画面で検索・閲覧できる状態になる。つまり、保存の時と同じく、保存したデータを検索・閲覧するためには、専用機器の電源をつけるだけでできることになる。保存と同じく、このプロセスがシンプルであることが大切なポイントとなる。【００２２】  また、購入時点、または、購入後に所定の手続きをすることで、専用端末に設定されたフォルダ以外の、他の専用端末のフォルダについても検索・閲覧することも可能とする。これにより、たとえば、物理的に離れた距離で過ごす家族間でも、同じデータを検索・閲覧することができるようになる。つまり、上記手続きの済んだ専用端末（仮に専用端末Ｘとする）を、たとえば遠く離れた両親にプレゼントすると、自分達の専用端末で保存したデータを、両親も専用端末Ｘから見ることができる。【００２３】  以上により、データを、誰でも、簡単にスピーデ���ーにリスクなく、一生にわたり保存、検索・閲覧することを可能とする。
【発明の効果】
【００２４】  データの保存、検索・閲覧が、専用機器を購入するだけで、誰でも、簡単にできるようになることによって、また、データの消滅や再生不能になるようなリスクをなくすことによって、面倒くさがりの人、インターネットや機械周りの知識に疎い人等であったとしても、誰でも、長い人生の貴重な思い出を、いつまでも簡単に思う存分データに残し（保存し）、そして、いつでも簡単に思い出に触れる（検索・閲覧）ことができる。たとえば、インターネットを知らない８０歳の方でも、８０年前の生まれた日の思い出を、専用機器の電源をつけるだけで、いつでも簡単に触れることができるようになる。豊かな人生をおくることに役立つ。これにより、あらゆる世代で、多くの思い出に触れる機会が増えるだろうし、また、遠く離れた家族や友達と思い出を共有する機会も増える。そんな従来のアルバムに変わる、いつでも簡単にスピーディーに過去のすべての思い出を見て、思い出に浸ることのできる未来のアルバムが世の中に生み出される。
【発明を実施するための形態】
【００２５】  専用機器の形態は、イメージとしては、以前のプリントアウトされた写真を保存するアルバムのような形状、つまり、２つ折りの本のような形状をしている。また、アルバムのように手軽に持ち運べ、そして、アルバムのように表紙を開くと、自動的に、その瞬間に電源が立ち上がり、そのなかにある高画質のカラー画面に実際のアルバムのように写真が映し出される。
【００２６】  その手間の少なさから、自宅のリビングに一台専用端末をおいておくことで、たとえば、家族が集まった時、友達が集まった時、ふと昔の思い出に浸りたいときなど、誰でも気軽に、昔のアルバムを開くようなイメージでデータを見ることができるようになる。しかも、その一台で必要なすべてのデータが見ることができる。
【００２７】  形態として補足すると、専用機器には、デジタルカメラから直接データを読み込むコードやＳＤカードを差し込むプラグ、画面をテレビ等に映し出すコードをつなぐプラグ、また、無線等のＬＡＮを接続する機能やプラグがセットされている。また、保存するデータの承諾確認や、保存したデータへ文字や音声の情報を登録する機能、また、保存されたデータの検索、および動画を再生できるようなボタン（画面上にタッチする等で操作）等がある。また、データの検索は、保存時期、撮影時期、別途設定されたデータ名やフォルダ、よく見られている写真等で検索することもできる。可能であれば、顔認識システム等をセットし、データに映されている人の顔で検索することも考えたい。